(57)【特許請求の範囲】
【請求項１】
イヤホンと、耳掛け部とを含むイヤホンセットであって、
前記イヤホンは、使用者の耳に接触するための面を有する殻体と、前記殻体の前記面上に垂直に形成される軸部とを含み、
前記耳掛け部は、前記イヤホンの前記軸部周りに回転可能な第１部と、前記殻体の前記面に平行な第２部とを含む接続部材と、一端部が前記接続部材の前記第２部に回転可能に装着され、他端部が前記使用者の耳に引掛けるように構成されたフック部とを有するイヤホンセット。
【請求項２】
前記イヤホンは、前記軸部周りに装着されるゴム製のブッシングを有しており、
前記ブッシングはその外面に環状溝部を有し、角部が丸となるように面取りされており、
前記接続部材の前記第１部は環状に形成され、前記ブッシングの前記環状溝部周りに支持される請求項１に記載のイヤホンセット。
【発明の詳細な説明】
【技術分野】
【０００１】
本発明はイヤホンセットに関し、詳細には、イヤホンと、２軸方向に回動可能な耳掛け部を含み、使用者の耳に適切にイヤホンを掛けることができる、イヤホンセットに関する。
【背景技術】
【０００２】
携帯電話はワイヤレスコミュニケーションの手段として普及しており、使用者は携帯電話を使用するとき、携帯電話を耳に近づけて持つ。しかしながら、安全性と健康のため、携帯電話を使用するとき頭部から離して使いたいという使用者もいる。この場合、使用者は携帯電話にヘッドセットを組み合わせることができ、このようなヘッドセットにはイヤホンとマイクロホンが含まれる。使用者はイヤホンを耳の近くに、そしてマイクロホンを口の近くに配置して使用する。
【０００３】
早期において、ヘッドセットはワイヤで携帯電話に接続されていた。ヘッドセットのうち小型で軽量なイヤホンは耳の中に挿入して使用されるが、ワイヤが往々にして物品に絡まり、使用者にとって煩わしいものとなっている。
【０００４】
前述の欠点を回避するため、ワイヤレスのヘッドセットが考案されている。ワイヤレスヘッドセットは、イヤホン、マイクロホン、送受信機、そしてこれらイヤホン、マイクロホン、送受信機を収容する殻体を含んで成る。このようなヘッドセットは大きく重いため、耳に掛けるための耳掛け部が必要である。
【０００５】
従来の耳掛け部は使用者の特定の側の耳のみに装着するようになっており、通常は左耳用である。
【０００６】
特許文献１及び２に開示されているように、ヘッドセットはイヤホン、マイクロホン、これらイヤホンとマイクロホンを収容する殻体、そしてこの殻体に接続された耳掛け部を含んで成る。この耳掛け部は回動させて使用者のどちらの耳にも殻体を掛けて使用することができるようになっている。しかしながら、殻体は耳掛け部に対して回動させることができないため、イヤホンを使用者のいずれの耳にも適切に近付けて配置することが困難である。
【特許文献１】台湾特許公報第５１９３６３号
【特許文献２】台湾特許公報第４６５８９４号
【特許文献３】台湾特許公報第Ｍ２５７５８９号
【０００７】
特許文献３で開示されているヘッドセットは、イヤホン、イクロホン、これらイヤホンとマイクロホンを収容する殻体、そしてこの殻体に接続された耳掛け部を含んで成る。この耳掛け部は回動させて使用者のどちらの耳にも殻体を掛けて使用することができるようになっている。この殻体は回動させることができ、耳掛け部に対しいくつかの角度位置のうち好みの位置に調整して殻体を弾力的に配置することができ、マイクロホンを使用者の口近くに配置することができるようになっている。しかしながらこの殻体は耳掛け部に対してあらゆる好みの角度位置に配置することはできない。
【０００８】
このため、本発明は先行技術における問題を排除または少なくとも軽減することを意図している。
【発明の開示】
【発明が解決しようとする課題】
【０００９】
本発明の主な目的は、イヤホンと、このイヤホンを使用者の耳に適切に掛けるため、２軸方向に回動させることができる耳掛け部を含んで成る、イヤホンセットを提供することにある。
【課題を解決するための手段】
【００１０】
上記課題を解決するために、本願発明は、イヤホンと、耳掛け部とを含むイヤホンセットであって、前記イヤホンは、使用者の耳に接触するための面を有する殻体と、前記殻体の前記面上に垂直に形成される軸部とを含み、前記耳掛け部は、前記イヤホンの前記軸部周りに回転可能な第１部と、前記殻体の前記面に平行な第２部とを含む接続部材と、一端部が前記接続部材の前記第２部に回転可能に装着され、他端部が前記使用者の耳に引掛けるように構成されたフック部とを有する、イヤホンセットである。
【００１１】
ここで、前記イヤホンは、前記軸部周りに装着されるゴム製のブッシングを有しており、前記ブッシングはその外面に環状溝部を有し、角部が丸となるように面取りされており、前記接続部材の前記第１部は環状に形成され、前記ブッシングの前記環状溝部周りに支持させるとよい。
【発明を実施するための最良の形態】
【００１４】
本発明のその他目的、利点及び特徴について、以下、図面に基づき明らかにする。
【００１５】
ここでは本発明について、最良の実施例と図面に基づき、詳細に説明する。
【００１６】
図１から図３に示すように、本発明の最良の実施例によるイヤホンセットは、イヤホン１０と、このイヤホン１０を使用者の耳に適切に掛けるため、２軸方向に回動させることができる耳掛け部２０を含んで成る。
【００１７】
イヤホン１０はイヤホン１０の外装である殻体１２と、この殻体１２から延出する軸部１４とを含み、殻体１２と軸部１４は通常プラスチック製とすることができ、且つ、殻体１２と軸部１４は一体として設けることが望ましい。
【００１８】
前記耳掛け部２０はブッシング１６、接続部材３０、回動ユニット４０、フック部２２を含む。
【００１９】
前記ブッシング１６は前記軸部１４上に設置され、ブッシング１６と軸部１４間を接着剤で強固に固定されている。ブッシング１６はゴム製とするのが望ましい。
【００２０】
前記接続部材３０は、環状部３４と、この環状部３４から延伸された管部３２を含む。前記環状部３４はブッシング１６上に設置される。この接続部材３０は通常プラスチック製とすることができる。環状部３４とブッシング１６間には適切な摩擦力が存在し、環状部３４はイヤホン１０の重量からのトルクを受けるためブッシング１６上で回動しないが、適切なトルクが加わると、環状部３４はブッシング１６上で回動させることができ、このため、環状部３４はブッシング１６に対しあらゆる好みの位置に動かして弾力的に保持することができる。
【００２１】
すなわち、環状部３４に形成された開口部内に圧入されたブッシング１６によって、イヤホン１０は中空支持される。このため、イヤホン１０の重量によって、ブッシング１６に対して軸部１４の軸方向周りの回転モーメントが加わることとなる。このとき、ブッシング１６と環状部３４との間に発生する摩擦力により、ブッシング１６が軸部１４の軸方向周りに回転するのを防止することができる（ブッシング１６が環状部３４内で回転するのを防止できる）。
【００２２】
他方、イヤホン１０による回転モーメントよりも大きな回転モーメントがブッシング１６に働いた場合には、ブッシング１６と環状部３４との間に働く摩擦力に抗して、環状部３４内におけるブッシング１６の回転動作が許容される。
【００２３】
前記回動ユニット４０は管体４２と、この管体４２内に一部が挿入された軸棒４４を含
む。前記軸棒４４はその一部が管部３２に挿入される。前記回動ユニット４０は金属製と
するのが望しい。前記管体４２はフック部２２に挿入され、前記軸棒４４は接続部材３０
の管部３２に挿入される。すなわち、軸棒４４はその一部が管部３２に回転可能に挿入さ
れている。
【００２４】
前記回動ユニット４０はフック部２２と接続部材３０内に隠して配置するのが望ましい。回動ユニット４０は接続部材３０に対してフック部２２を回動させ、接続部材３０上の選択した角度位置にフック部２２を弾力的に保持することを可能にする。すなわち、フック部２２及び軸棒４４を、軸棒４４の軸方向周りに一体的に回転させることができる。
【図面の簡単な説明】
【００２５】
【図１】本発明の最良の実施例に基づくイヤホンセットの立体分解図である。
【図２】図１のイヤホンセットの側面図である。
【図３】図２における３−３線でのイヤホンセットの断面図である。
【符号の説明】
【００２６】
１０      イヤホン
１２      殻体
１４      軸部
１６      ブッシング
２０      耳掛け部
２２      フック部
３０      接続部材
３２      管部
３４      環状部
４０      回動ユニット
４２      管体
４４      軸棒
【図１】
0004294697.tif 000002
【図２】
0004294697.tif 000003
【図３】
0004294697.tif 000004